(57)【要約】【課題】開閉手段から別個の流路を延設させることなく、採取口内部の洗浄及び消毒を確実に行わせることができる透析液取出装置を提供する。【解決手段】液体を流通させ得る導入口９ａ及び導出口９ｂが形成されるとともに、その流通させた液体を採取可能な採取口９ｃが形成された透析液取出手段９と、該透析液取出手段９の採取口９ｃに対して脱着可能とされ、当該採取口９ｃを開閉し得るキャップ１０とを具備した透析液取出装置において、キャップ１０は、採取口９ｃの外周面との間でシールするシール手段１１と、採取口９ｃに取り付けられた状態で当該採取口９ｃの内部を画成し、導入口９ａから導入された液体を採取口９ｃ内に案内する案内路αと、該案内路αで案内された液体を導出口９ｂ側へ排出させる排出路βとを形成する画成手段１２とを具備したものである。【選択図】図２
2015131192.tif 000002
【特許請求の範囲】
【請求項１】
液体の流路に接続されて当該液体を流通させ得る導入口及び導出口が形成されるとともに、その流通させた液体を採取可能な採取口が形成された透析液取出手段と、
該透析液取出手段の採取口に対して脱着可能とされ、当該採取口を開閉し得る開閉手段と、
を具備した透析液取出装置において、
前記開閉手段が前記採取口に取り付けられた状態で、前記導入口から導入された液体を前記採取口内に案内する案内路と、該案内路で案内された液体を前記導出口側へ排出させる排出路とが形成されることを特徴とする透析液取出装置。
【請求項２】
前記開閉手段は、
前記採取口の外周面との間でシールするシール手段と、
前記採取口に取り付けられた状態で当該採取口の内部を画成し、前記案内路及び前記排出路を形成する画成手段と、
を具備したことを特徴とする請求項１記載の透析液取出装置。
【請求項３】
前記画成手段は、前記開閉手段を前記採取口に取り付けた状態で当該採取口内で延設される筒状部材から成り、当該筒状部材の内部が前記案内路とされるとともに、当該筒状部材の外周面と前記採取口の内周面との間が前記排出路とされることを特徴とする請求項２記載の透析液取出装置。
【請求項４】
前記筒状部材には、前記案内路と排出路とを連通するための連通部が形成されるとともに、当該連通部は、前記案内路から排出路に流れる液体に対して渦又は乱流を生じさせ得ることを特徴とする請求項３記載の透析液取出装置。
【請求項５】
前記採取口は、前記開閉手段が取り付けられた状態で、前記案内路と前記排出路とを画成することを特徴とする請求項１記載の透析液取出装置。
【請求項６】
前記透析液取出手段は、前記採取口の外周を覆う円筒状の外周壁部を有するとともに、前記開閉手段は、当該外周壁部の外周面又は突端面との間でシールするシール手段を具備したことを特徴とする請求項５記載の透析液取出装置。
【請求項７】
前記採取口の内部が前記案内路とされるとともに、当該採取口の外周面と前記外周壁部の内周面との間が前記排出路とされたことを特徴とする請求項５又は請求項６記載の透析液取出装置。
【請求項８】
前記透析液取出手段は、前記導入口から導入された液体のうち、前記案内路に向かって流れる液体の圧力を前記導出口に向かって流れる液体の圧力より大きくする圧力差形成手段を具備したことを特徴とする請求項１〜７の何れか１つに記載の透析液取出装置。
【請求項９】
前記圧力差形成手段は、前記導入口から前記採取口に向かって流れる液体の流通路を有して成るとともに、当該流通路は、流路の径が採取口側に向かって次第に小さくなるテーパ面とされたことを特徴とする請求項８記載の透析液取出装置。
【請求項１０】
前記圧力差形成手段は、前記導入口から前記導出口に向かう液体の流れを絞って圧力を低下させるためのオリフィス又はベンチュリー形状から成ることを特徴とする請求項８記載の透析液取出装置。
【請求項１１】
前記圧力差形成手段は、前記開閉手段の前記採取口に対する取り付けに応じて動作し、前記導入口から前記導出口に向かう液体の流れを絞って圧力を低下させ得る連動部材から成ることを特徴とする請求項８記載の透析液取出装置。
【請求項１２】
前記透析液取出手段は、前記採取口からの液体の流出を許容するとともに当該採取口からの液体の流入を遮断する逆止弁を具備したことを特徴とする請求項１〜１１の何れか１つに記載の透析液取出装置。
【請求項１３】
前記透析液取出手段は、前記採取口に前記開閉手段が取り付けられた状態のとき、前記案内路及び排出路の液体の流れを許容するとともに、前記採取口が開状態のとき、当該採取口を閉止する閉止手段を具備したことを特徴とする請求項１〜１１の何れか１つに記載の透析液取出装置。
【請求項１４】
前記導入口及び前記採取口は、略同一直線上に形成されて成ることを特徴とする請求項１〜１３の何れか１つに記載の透析液取出装置。
【請求項１５】
請求項１〜１４の何れか１つに記載の透析液取出装置を具備したことを特徴とする血液浄化装置。
【発明の詳細な説明】
【技術分野】
【０００１】
本発明は、液体の流路に接続されて当該液体を流通させ得る導入口及び導出口が形成されるとともに、その流通させた液体を採取可能な採取口が形成された透析液取出手段と、透析液取出手段の採取口に対して脱着可能とされ、当該採取口を開閉し得る開閉手段とを具備した透析液取出装置に関するものである。
【背景技術】
【０００２】
近時において、血液浄化装置としての透析装置では透析治療（特に、オンラインＨＤＦ又はオンラインＨＦ）時においてダイアライザに供給するための透析液を用いてプライミング、返血及び補液（緊急補液）を行う技術や、当該透析液をオンラインＨＤＦやオンラインＨＦの治療のための置換液として利用する技術が提案されるに至っている。例えば、特許文献１には、一端が透析液導入ラインの所定部位に形成された透析液取出ポート（採取口）に接続されるとともに、他端が血液回路（動脈側血液回路又は静脈側血液回路）に接続された補液ラインと、補液ラインに配設された補液ポンプとを具備した透析装置が開示されている。かかる透析装置により、プライミング、返血又は補液（緊急補液）を行うには、補液ポンプを駆動させることにより、透析液導入ラインの透析液を血液回路（動脈側血液回路又は静脈側血液回路）に供給するようになっている。
【０００３】
通常、かかる透析液取出ポートに対してキャップ（開閉手段）が脱着自在とされており、当該キャップを取り外して補液ライン等を接続させるとともに、補液ライン等を接続しない場合は、キャップを取り付けて透析液導入ラインを流れる透析液が外部に漏れ出ないようになっている。例えば、透析液導入ラインや透析液排出ライン等の透析液が流通する配管を洗浄及び消毒するには、採取口にキャップを取り付けた状態として当該配管にて洗浄水や消毒水を流通させることにより、洗浄水や消毒液が外部に漏れ出てしまうのを防止している。
【０００４】
しかるに、キャップが採取口の内周面に対して密着してシールするものの場合、そのシール部分に対して洗浄水や消毒液が流通せず、洗浄及び消毒が不十分になってしまう虞があった。そこで、従来より、キャップが採取口の外周面に対してシールするものとし、当該採取口の内周面に洗浄水や消毒液を至らせるよう構成されたものが提案されている（例えば特許文献２、３参照）。これにより、キャップから洗浄水又は消毒液を流通させるための流路を延設させれば、採取口の内部を当該洗浄水や消毒液が流通することとなり、十分な洗浄及び消毒を図ることができる。
【先行技術文献】
【特許文献】
【０００５】
【特許文献１】特開２００４−３１３５２２号公報
【特許文献２】特開２００３−９３５０１号公報
【特許文献３】特開２００９−２０７７０６号公報
【発明の概要】
【発明が解決しようとする課題】
【０００６】
しかしながら、上記従来の透析液取出装置においては、キャップ（開閉手段）から洗浄水又は消毒液を流通させるための流路を延設しなければ、洗浄水や消毒液を採取口内部に至らせることが困難であるという問題があった。すなわち、単に採取口の外周面に対してシールするキャップを採用したとしても、採取口内部に単一の閉空間が形成されるのみであるため、透析液導入ラインを流れる液体が当該採取口の内部まで流通することはほとんどなく、流通させるためには、キャップから延設された別個の流路が必要とされるのである。別個の流路を延設させる場合は、その流路の取り回しが新たに必要となる他、保守管理が煩わしいという問題がある。
【０００７】
本発明は、このような事情に鑑みてなされたもので、開閉手段から別個の流路を延設させることなく、採取口内部の洗浄及び消毒を確実に行わせることができる透析液取出装置を提供することにある。
【課題を解決するための手段】
【０００８】
請求項１記載の発明は、液体の流路に接続されて当該液体を流通させ得る導入口及び導出口が形成されるとともに、その流通させた液体を採取可能な採取口が形成された透析液取出手段と、該透析液取出手段の採取口に対して脱着可能とされ、当該採取口を開閉し得る開閉手段とを具備した透析液取出装置において、前記開閉手段が前記採取口に取り付けられた状態で、前記導入口から導入された液体を前記採取口内に案内する案内路と、該案内路で案内された液体を前記導出口側へ排出させる排出路とが形成されることを特徴とする。
【０００９】
請求項２記載の発明は、請求項１記載の透析液取出装置において、前記開閉手段は、前記採取口の外周面との間でシールするシール手段と、前記採取口に取り付けられた状態で当該採取口の内部を画成し、前記案内路及び前記排出路を形成する画成手段とを具備したことを特徴とする。
【００１０】
請求項３記載の発明は、請求項２記載の透析液取出装置において、前記画成手段は、前記開閉手段を前記採取口に取り付けた状態で当該採取口内で延設される筒状部材から成り、当該筒状部材の内部が前記案内路とされるとともに、当該筒状部材の外周面と前記採取口の内周面との間が前記排出路とされることを特徴とする。
【００１１】
請求項４記載の発明は、請求項３記載の透析液取出装置において、前記筒状部材には、前記案内路と排出路とを連通するための連通部が形成されるとともに、当該連通部は、前記案内路から排出路に流れる液体に対して渦又は乱流を生じさせ得ることを特徴とする。
【００１２】
請求項５記載の発明は、請求項１記載の透析液取出装置において、前記採取口は、前記開閉手段が取り付けられた状態で、前記案内路と前記排出路とを画成することを特徴とする。
【００１３】
請求項６記載の発明は、請求項５記載の透析液取出装置において、前記透析液取出手段は、前記採取口の外周を覆う円筒状の外周壁部を有するとともに、前記開閉手段は、当該外周壁部の外周面又は突端面との間でシールするシール手段を具備したことを特徴とする。
【００１４】
請求項７記載の発明は、請求項５又は請求項６記載の透析液取出装置において、前記採取口の内部が前記案内路とされるとともに、当該採取口の外周面と前記外周壁部の内周面との間が前記排出路とされたことを特徴とする。
【００１５】
請求項８記載の発明は、請求項１〜７の何れか１つに記載の透析液取出装置において、前記透析液取出手段は、前記導入口から導入された液体のうち、前記案内路に向かって流れる液体の圧力を前記導出口に向かって流れる液体の圧力より大きくする圧力差形成手段を具備したことを特徴とする。
【００１６】
請求項９記載の発明は、請求項８記載の透析液取出装置において、前記圧力差形成手段は、前記導入口から前記採取口に向かって流れる液体の流通路を有して成るとともに、当該流通路は、流路の径が採取口側に向かって次第に小さくなるテーパ面とされたことを特徴とする。
【００１７】
請求項１０記載の発明は、請求項８記載の透析液取出装置において、前記圧力差形成手段は、前記導入口から前記導出口に向かう液体の流れを絞って圧力を低下させるためのオリフィス又はベンチュリー形状から成ることを特徴とする。
【００１８】
請求項１１記載の発明は、請求項８記載の透析液取出装置において、前記圧力差形成手段は、前記開閉手段の前記採取口に対する取り付けに応じて動作し、前記導入口から前記導出口に向かう液体の流れを絞って圧力を低下させ得る連動部材から成ることを特徴とする。
【００１９】
請求項１２記載の発明は、請求項１〜１１の何れか１つに記載の透析液取出装置において、前記透析液取出手段は、前記採取口からの液体の流出を許容するとともに当該採取口からの液体の流入を遮断する逆止弁を具備したことを特徴とする。
【００２０】
請求項１３記載の発明は、請求項１〜１１の何れか１つに記載の透析液取出装置において、前記透析液取出手段は、前記採取口に前記開閉手段が取り付けられた状態のとき、前記案内路及び排出路の液体の流れを許容するとともに、前記採取口が開状態のとき、当該採取口を閉止する閉止手段を具備したことを特徴とする。
【００２１】
請求項１４記載の発明は、請求項１〜１３の何れか１つに記載の透析液取出装置において、前記導入口及び前記採取口は、略同一直線上に形成されて成ることを特徴とする。
【００２２】
請求項１５記載の発明は、請求項１〜１４の何れか１つに記載の透析液取出装置を具備したことを特徴とする血液浄化装置である。
【発明の効果】
【００２３】
請求項１の発明によれば、開閉手段が採取口に取り付けられた状態で、導入口から導入された液体を採取口内に案内する案内路と、該案内路で案内された液体を導出口側へ排出させる排出路とが形成されるので、案内路及び排出路を介して洗浄水又は消毒液を流通させることができ、開閉手段から別個の流路を延設させることなく、採取口内部の洗浄及び消毒を確実に行わせることができる。
【００２４】
請求項２の発明によれば、開閉手段は、採取口の外周面との間でシールするシール手段と、採取口に取り付けられた状態で当該採取口の内部を画成し、案内路及び排出路を形成する画成手段とを具備したので、開閉手段に画成手段を具備させて当該画成手段にて案内路及び排出路を介して洗浄水又は消毒液を流通させることができ、採取口内部の洗浄及び消毒を確実に行わせることができる。
【００２５】
請求項３の発明によれば、画成手段は、開閉手段を採取口に取り付けた状態で当該採取口内で延設される筒状部材から成り、当該筒状部材の内部が案内路とされるとともに、当該筒状部材の外周面と採取口の内周面との間が排出路とされるので、簡単な構成で採取口内において洗浄水又は消毒液を良好に流通させることができ、当該採取口内部の洗浄及び消毒をより確実に行わせることができる。
【００２６】
請求項４の発明によれば、筒状部材には、案内路と排出路とを連通するための連通部が形成されるとともに、当該連通部は、案内路から排出路に流れる液体に対して渦又は乱流を生じさせ得るので、採取口の内周面をより一層確実に洗浄又は消毒することができる。
【００２７】
請求項５の発明によれば、採取口は、開閉手段が取り付けられた状態で、案内路と排出路とを画成するので、開閉手段に画成手段を具備させることなく案内路及び排出路を介して洗浄水又は消毒液を流通させることができ、採取口内部の洗浄及び消毒を確実に行わせることができる。さらに、採取口が液体を採取させる機能に加えて案内路と排出路とを画成する機能を兼ね備えるため、別個の画成手段等を不要として構成を簡略化させることができる。
【００２８】
請求項６の発明によれば、透析液取出手段は、採取口の外周を覆う円筒状の外周壁部を有するとともに、開閉手段は、当該外周壁部の外周面又は突端面との間でシールするシール手段を具備したので、開閉手段を採取口に取り付けた状態で、案内路と排出路との画成をより確実に行わせることができるとともに、洗浄水又は消毒液の流通をより良好に行わせることができる。
【００２９】
請求項７の発明によれば、採取口の内部が案内路とされるとともに、当該採取口の外周面と外周壁部の内周面との間が排出路とされたので、案内路及び排出路を介して洗浄水又は消毒液をより円滑且つ良好に流通させることができる。
【００３０】
請求項８の発明によれば、透析液取出手段は、導入口から導入された液体のうち、案内路に向かって流れる液体の圧力を導出口に向かって流れる液体の圧力より大きくする圧力差形成手段を具備したので、当該圧力差形成手段で生じた圧力差によって、案内路及び排出路に対してより確実に洗浄水又は消毒液を流通させることができる。
【００３１】
請求項９の発明によれば、圧力差形成手段は、導入口から採取口に向かって流れる液体の流通路を有して成るとともに、当該流通路は、流路の径が採取口側に向かって次第に小さくなるテーパ面とされたので、導入口から案内路に向かって流れる液体の圧力を導入口から排出口に向かって流れる液体の圧力に対して相対的に大きくすることができ、当該案内路及び排出路に対して確実な洗浄水又は消毒液の流通を図ることができる。
【００３２】
請求項１０の発明によれば、圧力差形成手段は、導入口から導出口に向かう液体の流れを絞って圧力を低下させるためのオリフィス又はベンチュリー形状から成るので、導入口から導出口に向かって流れる液体の圧力を導入口から採取口に向かって流れる液体の圧力に対して相対的に小さくすることができ、当該案内路及び排出路に対して確実な洗浄水又は消毒液の流通を図ることができる。
【００３３】
請求項１１の発明によれば、圧力差形成手段は、開閉手段の採取口に対する取り付けに応じて動作し、導入口から導出口に向かう液体の流れを絞って圧力を低下させ得る連動部材から成るので、開閉手段が採取口に取り付けられたときに限り、導入口から導出口に向かう液体の圧力を導入口から採取口に向かって流れる液体の圧力に対して相対的に小さくして案内路及び排出路に対する洗浄液又は消毒液の流通を良好に行わせることができる。
【００３４】
請求項１２の発明によれば、透析液取出手段は、採取口からの液体の流出を許容するとともに当該採取口からの液体の流入を遮断する逆止弁を具備したので、例えばシリンジや補液ライン等を採取口に接続した際、当該シリンジ内の液体や補液ライン等の先端に接続された流路内の液体が採取口から流入してしまうのを回避することができる。
【００３５】
請求項１３の発明によれば、透析液取出手段は、採取口に開閉手段が取り付けられた状態のとき、案内路及び排出路の液体の流れを許容するとともに、採取口が開状態のとき、当該採取口を閉止する閉止手段を具備したので、開閉手段が採取口に取り付けられていない状態でも、当該採取口から液体が外部に漏れ出てしまうのを回避することができる。
【００３６】
請求項１４の発明によれば、導入口及び採取口は、略同一直線上に形成されて成るので、導入口から導入された液体が採取口に向かってそのまま流れることとなり、より確実且つ良好に案内路及び排出路を介して洗浄水又は消毒液を流通させることができ、採取口内部の洗浄及び消毒を一層確実に行わせることができる。
【００３７】
請求項１５の発明によれば、案内路及び排出路を介して洗浄水又は消毒液を流通させることができ、開閉手段から別個の流路を延設させることなく、採取口内部の洗浄及び消毒を確実に行わせることができる血液浄化装置を提供することができる。
【図面の簡単な説明】
【００３８】
【図１】本発明の透析液取出装置が適用される血液浄化装置を示す模式図
【図２】本発明の第１の実施形態に係る透析液取出装置（採取口に開閉手段を取り付けた状態）を示す断面模式図
【図３】同透析液取出装置におけるキャップ（開閉手段）を示す断面模式図
【図４】同透析液取出装置における画成手段としての筒状部材に形成された連通部を示す断面模式図
【図５】同透析液取出装置の採取口にシリンジを接続した状態を示す断面模式図
【図６】本発明の第２の実施形態に係る透析液取出装置（採取口に開閉手段を取り付けた状態）を示す断面模式図
【図７】本発明の第３の実施形態に係る透析液取出装置（採取口に開閉手段を取り付けた状態）を示す断面模式図
【図８】本発明の第４の実施形態に係る透析液取出装置（採取口に開閉手段を取り付けた状態）を示す断面模式図
【図９】同透析液取出装置の採取口にシリンジを接続した状態を示す断面模式図
【図１０】本発明の他の実施形態に係る透析液取出装置における画成手段としての筒状部材に形成された連通部を示す断面模式図
【図１１】本発明の第５の実施形態に係る透析液取出装置（採取口に開閉手段を取り付けた状態）を示す断面模式図
【図１２】同透析液取出装置の採取口にシリンジを接続した状態を示す断面模式図
【図１３】本発明の第６の実施形態に係る透析液取出装置（採取口に開閉手段を取り付けた状態）を示す断面模式図
【図１４】同透析液取出装置の採取口にシリンジを接続した状態を示す断面模式図
【図１５】同透析液取出装置における開状態の採取口を示す断面模式図
【図１６】本発明の第７の実施形態に係る透析液取出装置（採取口に開閉手段を取り付けた状態）を示す断面模式図
【図１７】同透析液取出装置の採取口から開閉手段を取り外した状態を示す断面模式図
【図１８】同透析液取出装置の採取口から開閉手段を取り外した後にシャフト部材３３を中心に回転させた状態を示す断面模式図
【図１９】同透析液取出装置の採取口から開閉手段を取り外した後にシャフト部材３５を中心に回転させた状態を示す断面模式図
【図２０】本発明の第８の実施形態に係る透析液取出装置（採取口に開閉手段を取り付けた状態）を示す断面模式図
【図２１】同透析液取出装置におけるキャップ（開閉手段）を示す断面模式図
【図２２】同透析液取出装置における透析液取出手段（開閉手段を取り外した状態）を示す断面模式図
【図２３】同透析液取出装置の採取口に接続可能な接続手段を示す断面模式図
【図２４】同透析液取出装置における透析液取出手段（開閉手段を取り外した状態、且つ、接続手段を接続させた状態）を示す断面模式図
【発明を実施するための形態】
【００３９】
以下、本発明の実施形態について図面を参照しながら具体的に説明する。
本実施形態に係る透析液取出装置は、血液浄化治療（血液透析治療）で使用される血液浄化装置に配設され、透析液を採取可能とされたものである。適用される血液浄化装置は、図１に示すように、ダイアライザ１（血液浄化器）に動脈側血液回路２及び静脈側血液回路３が接続された血液回路と、透析液導入ラインＬ１及び透析液排出ラインＬ２を有した透析装置本体Ｂとから主に構成されている。
【００４０】
ダイアライザ１は、血液を浄化するためのもので、血液回路を構成する動脈側血液回路２及び静脈側血液回路３とそれぞれ接続されるとともに、透析液導入ラインＬ１及び透析液排出ラインＬ２とそれぞれ接続されており、動脈側穿刺針ａから採取された患者の血液を血液回路にて体外循環させ、ダイアライザ１にて血液浄化及び除水した後、静脈側穿刺針ｂから患者に戻すようになっている。なお、図中符号５、６は、エアトラップチャンバを示している。
【００４１】
また、透析液導入ラインＬ１及び透析液排出ラインＬ２には、所定濃度に調製された透析液をダイアライザ１に供給し、当該ダイアライザ１から排出させる複式ポンプ７が接続されている。さらに、透析装置本体Ｂ内には、バイパスラインや電磁弁が任意位置に複数配設されており、複式ポンプ７をバイパスさせるバイパスラインには、除水ポンプ８が接続されている。
【００４２】
そして、透析装置本体Ｂ内の配管を消毒又は洗浄するには、透析液導入ラインＬ１及び透析液排出ラインＬ２の先端をダイアライザ１から取り外し、例えばカプラ等により当該先端同士を互いに接続して配管を短絡させた後、透析装置本体Ｂの外部（例えば透析液供給装置等）から消毒液（熱湯や消毒薬液）又は洗浄水（清浄水）を導入して当該透析装置本体Ｂにおける配管内の液体（透析液等）と置換することにより行われる。なお、例えば透析液排出ラインＬ２から流路を分岐させ、その先端を消毒液等が収容されたタンクに挿入させることにより、当該タンク内から消毒液等を配管内に導入して置換させるようにしてもよい。
【００４３】
ここで、透析液導入ラインＬ１には、本発明の第１の実施形態に係る透析液取出装置が接続されている。本実施形態に係る透析液取出装置は、図２〜５に示すように、透析液導入ラインＬ１（液体の流路）に接続されて当該液体（透析液）を流通させ得る導入口９ａ及び導出口９ｂが形成されるとともに、その流通させた液体を採取可能な採取口９ｃが形成された透析液取出手段９と、該透析液取出手段９の採取口９ｃに対して脱着可能とされ、当該採取口９ｃを開閉し得る開閉手段としてのキャップ１０とを具備したものである。
【００４４】
より具体的には、透析液取出手段９は、その導入口９ａ及び導出口９ｂのそれぞれに透析液導入ラインＬ１が接続され、内部に透析液を流通可能とされたもので、その流路（導入口９ａから導出口９ｂに向かって透析液が流れる流路）は、分岐部Ｐで略９０度折れ曲がってＬ字状に延設されているとともに、採取口９ｃは、導入口９ａに対して略同一直線上に位置するよう形成されている。なお、本実施形態においては、採取口９ｃが形成された部位は、導入口９ａ及び導出口９ｂが形成された部位とは別部材とされ、それらがシール部材ｅを介して連結された構成とされているが、一体部品であってもよい。
【００４５】
さらに、採取口９ｃは、キャップ１０（開閉手段）を取り外した状態でシリンジＳ（図５参照）又は接続ライン（先端が血液回路の所定部位に接続された補液ライン）等の接続手段が接続されるもので、外周面に雄ネジ部９ｃａが形成されている。かかる雄ネジ部９ｃａは、キャップ１０の雌ネジ部１０ａ或いは接続ラインの基端に形成されたロックリング等と噛み合うよう形成されており、当該キャップ１０又はロックリングを螺合させて固定可能とされている。
【００４６】
開閉手段としてのキャップ１０は、シリンジＳの先端部Ｓａ或いは接続ラインの基端を接続可能な所謂サンプルポートと称されるもので、図３に示すように、採取口９ｃの外周面との間でシールするＯリング等から成るシール手段１１と、採取口９ｃに取り付けられた状態で当該採取口９ｃの内部を画成し、導入口９ａから導入された液体（透析液や消毒液等）を採取口９ｃ内に案内する案内路αと、該案内路αで案内された液体を導出口９ｂ側へ排出させる排出路βとを形成する画成手段１２とを具備している。
【００４７】
より具体的には、画成手段１２は、キャップ１０を採取口９ｃに取り付けた状態で当該採取口９ｃ内で延設される筒状部材から成り、当該筒状部材の内部が案内路αとされるとともに、当該筒状部材の外周面と採取口９ｃの内周面９ｃｂとの間が排出路βとされる。画成手段１２を構成する円筒状部材には、図３、４に示すように、内外を貫通して案内路αと排出路βとを連通するための一対の連通部１２ａが形成されており、案内路αに導かれた液体が当該連通部１２ａを介して排出路β側に流出可能とされている。
【００４８】
なお、本実施形態においては、画成手段１２が円筒状部材で構成されているが、案内路αと排出路βとを画成し得る筒状の部材であれば他の形状のものであってもよい。さらに、本実施形態においては、連通部１２ａが画成手段１２を構成する筒状部材の所定位置に形成された孔とされているが、案内路αと排出路βとを連通させ得るものであれば、切欠き等であってもよい。
【００４９】
一方、透析液取出手段９には、排出路βと分岐部Ｐより導出口９ｂ側の流路とを連結させるための連結路γが形成されている。これにより、導入口９ａから分岐部Ｐを介して採取口９ｃに向かって流れた液体は、案内路α、排出路β及び連結路γを通って排出口９ｂから排出され、導入口９ａから分岐部Ｐを介して導出口９ｂに向かって流れる液体と合流して当該導出口９ｂから流出し得るようになっている。
【００５０】
ここで、本実施形態に係る透析液取出手段９は、導入口９ａから導入された液体のうち、案内路αに向かって流れる液体の圧力を導出口９ｂに向かって流れる液体の圧力より大きくする圧力差形成手段１３を具備している。かかる圧力差形成手段１３は、透析液取出手段９の分岐部Ｐ近傍に配設され、導入口９ａから採取口９ｃに向かって流れる液体の流通路１３ａを有して成るとともに、当該流通路１３ａは、流路の径が採取口９ｃ側（図２中右側）に向かって次第に小さくなるテーパ面とされている。これにより、導入口９ａから採取口９ｃに向かって流れる液体の圧力を導入口９ａから排出口９ｂに向かって流れる液体の圧力に対して相対的に大きくすることができる。
【００５１】
上記第１の実施形態によれば、キャップ１０は、採取口９ｃの外周面との間でシールするシール手段１１と、採取口９ｃに取り付けられた状態で当該採取口９ｃの内部を画成し、導入口９ａから導入された液体を採取口９ｃ内に案内する案内路αと、該案内路αで案内された液体を導出口９ｂ側へ排出させる排出路βとを形成する画成手段１２とを具備したので、案内路α及び排出路βを介して採取口９ｃ内部で洗浄水又は消毒液を流通させることができ、キャップ１０から別個の流路を延設させることなく、採取口９ｃ内部の洗浄及び消毒を確実に行わせることができる。
【００５２】
また、画成手段１２は、キャップ１０を採取口９ｃに取り付けた状態で当該採取口９ｃ内で延設される筒状部材から成り、当該筒状部材の内部が案内路αとされるとともに、当該筒状部材の外周面と採取口９ｃの内周面９ｃｂとの間が排出路βとされるので、簡単な構成で採取口９ｃ内において洗浄水又は消毒液を良好に流通させることができ、当該採取口９ｃ内部（特に内周面９ｃｂ）の洗浄及び消毒をより確実に行わせることができる。
【００５３】
さらに、透析液取出手段９は、導入口９ａから導入された液体のうち、案内路α（すなわち採取口９ｃ）に向かって流れる液体の圧力を導出口９ｂに向かって流れる液体の圧力より大きくする圧力差形成手段１３を具備したので、当該圧力差形成手段１３で生じた圧力差によって、案内路α及び排出路βに対してより確実に洗浄水又は消毒液を流通させることができる。
【００５４】
特に、本実施形態によれば、圧力差形成手段１３は、導入口９ａから採取口９ｃに向かって流れる液体の流通路を有して成るとともに、当該流通路は、流路の径が採取口９ｃ側に向かって次第に小さくなるテーパ面とされたので、案内路αと排出路βとの間に圧力差を設けることができ、当該案内路α及び排出路βに対して確実な洗浄水又は消毒液の流通を図ることができる。
【００５５】
またさらに、透析液取出手段９における導入口９ａ及び採取口９ｃは、略同一直線上に形成されて成るので、導入口９ａから導入された液体が採取口９ｃに向かってそのまま流れることとなり、より確実且つ良好に案内路α及び排出路βを介して洗浄水又は消毒液を流通させることができ、採取口９ｃ内部の洗浄及び消毒を一層確実に行わせることができる。
【００５６】
次に、本発明の第２の実施形態に係る透析液取出装置について説明する。
本実施形態に係る透析液取出装置は、第１の実施形態と同様、図１で示す如き血液浄化装置の透析液導入ラインＬ１に接続されたもので、図６に示すように、透析液導入ラインＬ１（液体の流路）に接続されて当該液体（透析液）を流通させ得る導入口１４ａ及び導出口１４ｂが形成されるとともに、その流通させた液体を採取可能な採取口１４ｃが形成された透析液取出手段１４と、該透析液取出手段１４の採取口１４ｃに対して脱着可能とされ、当該採取口１４ｃを開閉し得る開閉手段としてのキャップ１０とを具備したものである。
【００５７】
採取口１４ｃには、その外周面にキャップ１０の雌ネジ部１０ａと螺合可能な雄ネジ部１４ｃａが形成されるとともに、画成手段１２は、キャップ１０を採取口１４ｃに取り付けた状態で当該採取口１４ｃ内で延設される筒状部材から成り、当該筒状部材の内部が案内路αとされるとともに、当該筒状部材の外周面と採取口１４ｃの内周面１４ｃｂとの間が排出路βとされる。なお、第１の実施形態と同様の構成部品には、同一の符号を付し、それらの詳細な説明を省略する。
【００５８】
透析液取出手段１４における分岐部Ｐ近傍の採取口１４ｃ側には、案内部材１５が配設されている。この案内部材１５には、案内路αに向かって延びる流路１５ａが形成されており、かかる流路１５ａにより、導入口１４ａから導入された液体が案内路α内に導かれるようになっている。なお、流路１５ａは、第１の実施形態の如く、その径が採取口１４ｃ側に向かって次第に小さくなるテーパ面とするようにしてもよい。
【００５９】
ここで、本実施形態においては、導入口１４ａから導出口１４ｂに向かう液体の流れを絞って圧力を低下させるためのオリフィス１４ｄから成る圧力差形成手段が形成されている。かかるオリフィス１４ｄは、分岐部Ｐから導出口１４ｂに向かう流路の一部であって連結路γとの合流部より上流側（すなわち分岐部Ｐ側）に形成されており、当該オリフィス１４ｄにより、導入口１４ａから導入された液体のうち、案内路αに向かって流れる液体の圧力が導出口１４ｂに向かって流れる液体の圧力より相対的に大きくなるよう構成されている。
【００６０】
しかるに、本実施形態においては、導入口１４ａ及び導出口１４ｂは、略同一直線上に形成されて成るとともに、その導入口１４ａ及び導出口１４ｂにて構成される流路に対して略９０度の位置に採取口１４ｃが形成されているが、第１の実施形態の如く、透析液取出手段１４における導入口１４ａ及び採取口１４ｃを略同一直線上に形成するようにしてもよい。また、案内部材１５の流路１５ａの先端が画成手段１２の先端に当接するよう設定してもよい。
【００６１】
本実施形態によれば、圧力差形成手段は、導入口１４ａから導出口１４ｂに向かう液体の流れを絞って圧力を低下させるためのオリフィス１４ｄから成るので、案内路αと排出路βとの間に圧力差を設けることができ、案内路α及び排出路βに対して確実な洗浄水又は消毒液の流通を図ることができる。
【００６２】
次に、本発明の第３の実施形態に係る透析液取出装置について説明する。
本実施形態に係る透析液取出装置は、第１の実施形態と同様、図１で示す如き血液浄化装置の透析液導入ラインＬ１に接続されたもので、図７に示すように、透析液導入ラインＬ１（液体の流路）に接続されて当該液体（透析液）を流通させ得る導入口１６ａ及び導出口１６ｂが形成されるとともに、その流通させた液体を採取可能な採取口１６ｃが形成された透析液取出手段１６と、該透析液取出手段１６の採取口１６ｃに対して脱着可能とされ、当該採取口１６ｃを開閉し得る開閉手段としてのキャップ１０とを具備したものである。
【００６３】
採取口１６ｃには、その外周面にキャップ１０の雌ネジ部１０ａと螺合可能な雄ネジ部１６ｃａが形成されるとともに、画成手段１２は、キャップ１０を採取口１６ｃに取り付けた状態で当該採取口１６ｃ内で延設される筒状部材から成り、当該筒状部材の内部が案内路αとされるとともに、当該筒状部材の外周面と採取口１６ｃの内周面１６ｃｂとの間が排出路βとされる。なお、第１の実施形態と同様の構成部品には、同一の符号を付し、それらの詳細な説明を省略する。
【００６４】
透析液取出手段１６における分岐部Ｐ近傍の採取口１６ｃ側には、案内部材１７が配設されている。この案内部材１７には、案内路αに向かって延びる流路１７ａが形成されており、かかる流路１７ａにより、導入口１６ａから導入された液体が案内路α内に導かれるようになっている。なお、流路１７ａは、第１の実施形態の如く、その径が採取口１６ｃ側に向かって次第に小さくなるテーパ面とするようにしてもよい。
【００６５】
ここで、本実施形態においては、導入口１６ａから導出口１６ｂに向かう液体の流れを絞って圧力を低下させるためのベンチュリー形状１６ｄから成る圧力差形成手段が形成されている。かかるベンチュリー形状１６ｄは、分岐部Ｐから導出口１６ｂに向かう流路の一部であって連結路γとの合流部に形成されており、当該ベンチュリー形状１６ｄにより、導入口１６ａから導入された液体のうち、案内路αに向かって流れる液体の圧力が導出口１６ｂに向かって流れる液体の圧力より相対的に大きくなるよう構成されている。
【００６６】
本実施形態によれば、圧力差形成手段は、導入口１６ａから導出口１６ｂに向かう液体の流れを絞って圧力を低下させるためのベンチュリー形状１６ｄから成るので、導入口１６ａから導出口１６ｂに向かって流れる液体の圧力を導入口１６ａから採取口１６ｃに向かって流れる液体の圧力に対して相対的に小さくすることができ、案内路α及び排出路βに対して確実な洗浄水又は消毒液の流通を図ることができる。
【００６７】
次に、本発明の第４の実施形態に係る透析液取出装置について説明する。
本実施形態に係る透析液取出装置は、第１の実施形態と同様、図１で示す如き血液浄化装置の透析液導入ラインＬ１に接続されたもので、図８に示すように、透析液導入ラインＬ１（液体の流路）に接続されて当該液体（透析液）を流通させ得る導入口１８ａ及び導出口１８ｂが形成されるとともに、その流通させた液体を採取可能な採取口１８ｃが形成された透析液取出手段１８と、該透析液取出手段１８の採取口１８ｃに対して脱着可能とされ、当該採取口１８ｃを開閉し得る開閉手段としてのキャップ１０とを具備したものである。
【００６８】
採取口１８ｃには、その外周面にキャップ１０の雌ネジ部１０ａと螺合可能な雄ネジ部１８ｃａが形成されるとともに、画成手段１２は、キャップ１０を採取口１８ｃに取り付けた状態で当該採取口１８ｃ内で延設される筒状部材から成り、当該筒状部材の内部が案内路αとされるとともに、当該筒状部材の外周面と採取口１８ｃの内周面１８ｃｂとの間が排出路βとされる。なお、第１の実施形態と同様の構成部品には、同一の符号を付し、それらの詳細な説明を省略する。
【００６９】
ここで、本実施形態においては、キャップ１０の採取口１８ｃに対する取り付けに応じて動作し、導入口１８ａから導出口１８ｂに向かう液体の流れを絞って圧力を低下させ得る連動部材１９から成る圧力差形成手段が形成されている。かかる連動部材１９は、分岐部Ｐ内において摺動自在とされるとともに、スプリング２０により常時採取口１８ｃ側に付勢されている。また、連動部材１９には、案内路αに向かって延びる流路１９ａが形成されており、かかる流路１９ａにより、導入口１８ａから導入された液体が案内路α内に導かれるようになっている。なお、流路１８ａは、第１の実施形態の如く、その径が採取口１８ｃ側に向かって次第に小さくなるテーパ面とするようにしてもよい。
【００７０】
しかるに、キャップ１０を採取口１８ｃに取り付けると、当該キャップ１０の画成手段１２が連動部材１９を押圧するので、当該連動部材１９がスプリング２０による付勢力に抗して摺動し、分岐部Ｐから導出口１８ｂに向かう流路の一部を塞ぐこととなる（図８参照）。これにより、連動部材１９にて塞がれた部位がオリフィスとして作用することとなり、導入口１８ａから導出口１８ｂに向かう液体の流れを絞って圧力を低下させることとなる。
【００７１】
一方、図９に示すように、キャップ１０を取り外し、例えばシリンジＳの先端部Ｓａを採取口１８ｃに接続させた状態（採取口１８ｃが開状態とされて何れも接続されない状態も同様）においては、連動部材１９がスプリング２０による付勢力で採取口１８ｃ側に位置することとなり、分岐部Ｐから導出口１８ｂに向かう流路を塞がず、オリフィスの作用が生じないよう構成されている。
【００７２】
本実施形態によれば、圧力差形成手段は、キャップ１０の採取口１８ｃに対する取り付けに応じて動作し、導入口１８ａから導出口１８ｂに向かう液体の流れを絞って圧力を低下させ得る連動部材１９から成るので、キャップ１０が採取口１８ｃに取り付けられたときに限り、導入口１８ａから導出口１８ｂに向かう液体の圧力を導入口１８ａから採取口１８ｃに向かって流れる液体の圧力に対して相対的に小さくして案内路α及び排出路βに対する洗浄液又は消毒液の流通を良好に行わせることができる。
【００７３】
上記第１〜４の実施形態においては、画成手段１２は、キャップ１０を採取口に取り付けた状態で当該採取口内で延設される筒状部材から成り、当該筒状部材の内部が案内路αとされるとともに、当該筒状部材の外周面と採取口の内周面との間が排出路βとされるものであり、その筒状部材には、図４に示すように、案内路αと排出路βとを連通するための連通部１２ａが形成されているが、これに代えて、図１０に示すように、一対の連通部１２’ａが筒状部材の断面に対して互いにオフセットするものとし、案内路αから排出路βに流れる液体に対して渦又は乱流を生じさせ得る画成手段１２’としてもよい。
【００７４】
このように、画成手段１２’を構成する筒状部材には、案内路αと排出路βとを連通するための連通部１２’ａが形成されるとともに、当該連通部１２’ａは、案内路αから排出路βに流れる液体に対して渦又は乱流を生じさせるようにすれば、採取口の内周面をより一層確実に洗浄又は消毒することができる。なお、連通部１２’ａが筒状部材の断面に対してオフセットしたものの他、案内路αから排出路βに向かってスパイラル状に形成された孔又は切欠きすることにより、案内路αから排出路βに流れる液体に対して渦又は乱流を生じさせるよう構成してもよい。
【００７５】
次に、本発明の第５の実施形態に係る透析液取出装置について説明する。
本実施形態に係る透析液取出装置は、第１の実施形態と同様、図１で示す如き血液浄化装置の透析液導入ラインＬ１に接続されたもので、図１１に示すように、透析液導入ラインＬ１（液体の流路）に接続されて当該液体（透析液）を流通させ得る導入口２１ａ及び導出口２１ｂが形成されるとともに、その流通させた液体を採取可能な採取口２１ｃが形成された透析液取出手段２１と、該透析液取出手段２１の採取口２１ｃに対して脱着可能とされ、当該採取口２１ｃを開閉し得る開閉手段としてのキャップ１０とを具備したものである。
【００７６】
採取口２１ｃには、その外周面にキャップ１０の雌ネジ部１０ａと螺合可能な雄ネジ部２１ｃａが形成されるとともに、画成手段１２は、キャップ１０を採取口２１ｃに取り付けた状態で当該採取口２１ｃ内で延設される筒状部材から成り、当該筒状部材の内部が案内路αとされるとともに、当該筒状部材の外周面と採取口２１ｃの内周面２１ｃｂとの間が排出路βとされる。なお、第１の実施形態と同様の構成部品には、同一の符号を付し、それらの詳細な説明を省略する。
【００７７】
ここで、本実施形態に係る透析液取出手段２１は、採取口２１ｃからの液体の流出を許容するとともに当該採取口２１ｃからの液体の流入を遮断する逆止弁Ｇと、該逆止弁Ｇを内部に収容するとともに、キャップ１０の採取口２１ｃに対する取り付けに応じて分岐部Ｐ近傍で摺動し得る摺動部材２２と、該摺動部材２２を常時採取口２１ｃ側に付勢するスプリング２３とを有して構成されている。
【００７８】
摺動部材２２は、第１の実施形態の如く、その径が採取口２１ｃ側に向かって次第に小さくなるテーパ面とされた流路２２ａと、該流路２２ａと連通して形成されるとともに逆止弁Ｇを収容した収容空間２２ｂと、該収容空間２２ｂと案内路αとを連通させ得る流路２２ｃとが形成されており、これら流路２２ａ、収容空間２２ｂ及び流路２２ｃにより、導入口２１ａから導入された液体が案内路α内に導かれるようになっている。
【００７９】
また、本実施形態に係る透析液取出手段２１には、図１２に示すように、採取口２１ｃにシリンジＳ（又は接続ライン等の接続手段も同様）が接続された状態で、案内路αの液体の流れを許容するとともに、採取口２１ｃと透析液取出手段２１の内部の流路とを遮断するシール部材２４が配設されている。すなわち、採取口２１ｃからキャップ１０が取り外され、例えばシリンジＳや接続手段等が接続された状態においては、スプリング２３による付勢力で摺動部材２２が採取口２１ｃ側に押し付けられ、その摺動部材２２の片部２２ｃａとシール部材２４とが密着して閉止するようになっている。
【００８０】
しかるに、逆止弁Ｇにより、流路２２ａから流路２２ｃに向かう液体の流れを許容するとともに、流路２２ｃから流路２２ａに向かう液体の流れを規制するので、シリンジＳや補液ライン等を採取口２１ｃに接続した際、シリンジＳ等による液体の採取を良好に維持するとともに、当該シリンジＳ内の液体や補液ライン等の先端に接続された流路（血液回路等）内の液体が採取口２１ｃから流入してしまうのを回避することができる。
【００８１】
次に、本発明の第６の実施形態に係る透析液取出装置について説明する。
本実施形態に係る透析液取出装置は、第１の実施形態と同様、図１で示す如き血液浄化装置の透析液導入ラインＬ１に接続されたもので、図１３〜１５に示すように、透析液導入ラインＬ１（液体の流路）に接続されて当該液体（透析液）を流通させ得る導入口２５ａ及び導出口２５ｂが形成されるとともに、その流通させた液体を採取可能な採取口２５ｃが形成された透析液取出手段２５と、該透析液取出手段２５の採取口２５ｃに対して脱着可能とされ、当該採取口２５ｃを開閉し得る開閉手段としてのキャップ１０とを具備したものである。
【００８２】
採取口２５ｃには、その外周面にキャップ１０の雌ネジ部１０ａと螺合可能な雄ネジ部２５ｃａが形成されるとともに、画成手段１２は、キャップ１０を採取口２５ｃに取り付けた状態で当該採取口２５ｃ内で延設される筒状部材から成り、当該筒状部材の内部が案内路αとされるとともに、当該筒状部材の外周面と採取口２５ｃの内周面２５ｃｂとの間が排出路βとされる。なお、第１の実施形態と同様の構成部品には、同一の符号を付し、それらの詳細な説明を省略する。
【００８３】
ここで、本実施形態に係る透析液取出手段２５は、採取口２５ｃにキャップ１０が取り付けられた状態のとき、案内路α及び排出路βの液体の流れを許容するとともに、採取口２５ｃが開状態のとき、当該採取口２５ｃを閉止する閉止手段を有して構成されている。具体的には、本実施形態に係る閉止手段は、分岐部Ｐ近傍で摺動し得るとともに内部にシール部材２８を有した摺動部材２６と、該摺動部材２６内で摺動し得るとともに所定部位に連通孔２７ａ、２７ｂが形成された連動部材２７と、摺動部材２６を常時採取口２５ｃ側に付勢するスプリング２９と、連動部材２７を常時採取口２５ｃ側に付勢するスプリング３０と、シール部材３１とを有して構成されている。
【００８４】
また、摺動部材２６及び連動部材２７の内部には、液体を流通させ得る流路がそれぞれ形成されており、採取口２５ｃにキャップ１０を取り付けた状態又はシリンジＳ若しくは接続ライン等の接続手段が接続された状態においては、図１３、１４に示すように、それら流路が連通孔２７ａ、２７ｂを介して連結されるようになっている。なお、シール部材２８、３１には、シール部２８ａ、３１ａが形成されており、シール部２８ａが連動部材２７の端部と当接することにより、シール部材２８によるシールを図ることができるとともに、シール部３１ａが摺動部材２６の端面と当接することにより、シール部材３１によるシールを図ることができるよう構成されている。
【００８５】
例えば、採取口２５ｃにキャップ１０が取り付けられた状態では、図１３に示すように、キャップ１０の画成手段１２が連動部材２７を押圧するよう構成されており、押圧された連動部材２７がスプリング３０の付勢力に抗して移動する。そして、図示しないストッパ機構等によってスプリング３０の圧縮限界に至ると、連動部材２７の移動力が摺動部材２６に伝達され、連動部材２７と共に摺動部材２６も同方向へ移動することとなる。これにより、連動部材２７に形成された連通孔２７ａ、２７ｂが開口した状態とされ、且つ、シール部材２８、３１によるシールがなされないので、導入口２５ａから採取口２５ｃに向かって流れる液体は、摺動部材２６及び連動部材２７の内部の流路を通過した後、画成手段１２における案内路αに至り、連通部１２ａを介して排出路βを流れて導出口２５ｂ側へ排出される。
【００８６】
一方、採取口２５ｃにシリンジＳが取り付けられた状態（接続ライン等の接続手段が接続された状態も同様）では、図１４に示すように、シリンジＳの先端部Ｓａが連動部材２７を押圧するよう構成されており、押圧された連動部材２７がスプリング３０の付勢力に抗して移動する。このとき、連動部材２７は、図示しないストッパ機構等によるスプリング３０の圧縮限界まで至らないので、摺動部材２６は同方向へ移動することなく、シール部材３１のシール部３１ａが当該摺動部材２６の端面と当接してシールするようになっている。これにより、連動部材２７に形成された連通孔２７ａ、２７ｂが開口した状態とされ、且つ、シール部材３１によるシールがなされつつシール部材２８によるシールがなされないので、導入口２５ａから採取口２５ｃに向かって流れる液体は、摺動部材２６及び連動部材２７の内部の流路を通過した後、シリンジＳに向かって流れることとなる。
【００８７】
さらに、採取口２５ｃにキャップ１０やシリンジＳ等が取り付けられない状態、すなわち開状態のときは、図１５に示すように、連動部材２７に対する押圧力が付与されないので、摺動部材２６及び連動部材２７がスプリング２９、３０の付勢力によって採取口２５ｃ側に位置することとなり、シール部材２８、３１によるシールが図られる。これにより、採取口２５ｃが開状態のとき、閉止手段によって当該採取口２５ｃを閉止することができる。
【００８８】
本実施形態によれば、透析液取出手段２５は、採取口２５ｃにキャップ１０が取り付けられた状態のとき、案内路α及び排出路βの液体の流れを許容するとともに、採取口２５ｃが開状態のとき、当該採取口２５ｃを閉止する閉止手段を具備したので、キャップ１０が採取口２５ｃに取り付けられていない状態でも、当該採取口２５ｃから液体が外部に漏れ出てしまうのを回避することができる。
【００８９】
次に、本発明の第７の実施形態に係る透析液取出装置について説明する。
本実施形態に係る透析液取出装置は、第１の実施形態と同様、図１で示す如き血液浄化装置の透析液導入ラインＬ１に接続されたもので、図１６〜１９に示すように、透析液取出手段９と、該透析液取出手段９の採取口９ｃに対して脱着可能とされ、当該採取口９ｃを開閉し得る開閉手段としてのキャップ１０’と、該キャップ１０’の閉状態を保持し得る保持手段３２とを具備したものである。なお、本実施形態で適用される透析液取出手段９は、第１の実施形態と同一の構成とされるものであるため、詳細な説明を省略する。
【００９０】
保持手段３２は、図１６に示すように、シャフト部材３３と、スプリング３４と、シャフト部材３５とを有して構成されており、当該シャフト部材３３を中心に回転自在とされている。また、シャフト部材３３の基端には、バネ受け３３ａが形成されており、当該バネ受け３３ａと透析液取出手段９との間には、スプリング３４が介装されている。これにより、保持手段３２は、スプリング３４の付勢力により常時、同図中左方向に付勢されている。
【００９１】
キャップ１０’は、シャフト部材３５の先端に支持されるとともに、当該シャフト部材３５を中心に回転自在とされている。すなわち、キャップ１０’は、シャフト部材３３を中心として回動可能とされるとともに、シャフト部材３５を中心として回転可能とされているのである。また、キャップ１０’には、採取口９ｃの外周面との間でシールするための第１の実施形態と同様のシール手段１１が取り付けられている一方、第１の実施形態の如き雌ネジ部（採取口９ｃの雄ネジ部９ｃａと螺合するネジ部）は形成されていない。
【００９２】
しかして、キャップ１０’が採取口９ｃを覆った状態（図１６参照）においては、スプリング３４の付勢力によってキャップ１０’が採取口９ｃに押圧され、閉状態が保持されるようになっている。また、スプリング３４の付勢力に抗して保持手段３２をキャップ１０’と共に移動（同図中右方向への移動）させると、図１７に示すように、キャップ１０’が採取口９ｃから離間した状態とされ、更にそのキャップ１０’をシャフト部材３３を中心として回動させれば、図１８に示すように、採取口９ｃを開放させた状態とすることができる。これにより、採取口９ｃにシリンジＳや接続ライン等の接続手段を接続することができる。なお、図１７の状態からシャフト部材３５を中心としてキャップ１０’を回転させると、図１９に示すように、当該キャップ１０’の向きが反転することとなる。この状態にすれば、シール手段１１の交換やメンテナンス等を容易に行わせることができる。
【００９３】
本実施形態によれば、キャップ１０’による採取口９ｃに対するシールを強固且つ確実に行わせることができるとともに、採取口９ｃを開状態としたとき、キャップ１０’の紛失等を回避することができる。また、保持手段３２の向き（シャフト部材３３を中心とした回転位置）を検知する検知手段を設けるようにすれば、採取口９ｃが開状態であるのか閉状態であるのかを検出させることができる。なお、本実施形態に係る透析液取出手段は、第１の実施形態と同様のものとされているが、他の形態の如き構成のものとしてもよい。
【００９４】
次に、本発明の第８の実施形態に係る透析液取出装置について説明する。
本実施形態に係る透析液取出装置は、第１の実施形態と同様、図１で示す如き血液浄化装置の透析液導入ラインＬ１に接続されたもので、図２０〜２４に示すように、透析液導入ラインＬ１（液体の流路）に接続されて当該液体（透析液）を流通させ得る導入口３６ａ及び導出口３６ｂが形成されるとともに、その流通させた液体を採取可能な採取口３９が形成された透析液取出手段３６と、該透析液取出手段３６の採取口３９に対して脱着可能とされ、当該採取口３９を開閉し得る開閉手段としてのキャップ３７とを具備したものである。
【００９５】
より具体的には、透析液取出手段３６は、その導入口３６ａ及び導出口３６ｂのそれぞれに透析液導入ラインＬ１が接続され、内部に透析液を流通可能とされたもので、その流路（導入口３６ａから導出口３６ｂに向かって透析液が流れる流路）は、分岐部Ｐで略９０度折れ曲がってＬ字状に延設されているとともに、採取口３９は、導入口３６ａに対して略同一直線上に位置するよう形成されている。
【００９６】
さらに、透析液取出手段３６は、採取口３９の外周を覆う円筒状の外周壁部４０を有している。かかる外周壁部４０は、その外周面に、キャップ３７（開閉手段）のネジ部３７ａと螺合し得るネジ部４０ａが形成されているとともに、内周面に、接続手段４２のネジ部４２ｂａ（図２３、２４参照）と螺合し得るネジ部４０ｂがそれぞれ形成されている。すなわち、外周壁部４０に接続手段４２を係止して固定させることにより、採取口３９が接続手段４２を介して接続ラインＬ３と接続可能とされているのである。
【００９７】
さらに、本実施形態に係る外周壁部４０は、採取口３９の突端３９ａを覆って突出して成るものとされている。すなわち、外周壁部４０の突出寸法は、採取口３９の突出寸法より大きく設定されていることから、外周壁部４０にて採取口３９の突端３９ａを覆った状態とされているのである。これにより、キャップ３７が採取口３９から外された状態においても当該採取口３９に人の指が触れてしまうのを回避させることができ、衛生管理をより確実に図ることができる。
【００９８】
接続手段４２は、図２３に示すように、採取口３９から採取した液体を流通させるための接続ラインＬ３の先端部に取り付けられ、内周面４２ａ及び外周面４２ｂを有した円略筒状部材から成るものである。この外周面４２ｂの先端側（採取口３９との接続部位側）には、外周壁部４０のネジ部４０ｂと螺合し得るネジ部４２ｂａが一体形成されている。しかして、図２４に示すように、接続手段４２の内周面４２ａが採取口３９の外周面に嵌合しつつ当該接続手段４２の外周面４２ｂのネジ部４２ｂａが外周壁部４０の内周面に形成されたネジ部４０ｂと螺合することにより係止されて当該採取口３９に接続ラインＬ３が接続可能とされている。
【００９９】
なお、本実施形態に係る接続ラインＬ３は、例えば動脈側血液回路２に接続されたエアトラップチャンバ５又は静脈側血液回路３に接続されたエアトラップチャンバ６に接続され、透析液導入ラインＬ１中の透析液を動脈側血液回路２又は静脈側血液回路３に供給し得るものとされている。これにより、透析液を使用してプライミング、補液又は返血等を行わせることができ、或いは当該透析液をオンラインＨＤＦやオンラインＨＦの治療のための置換液として利用することができる。
【０１００】
このように、接続手段４２の内周面４２ａが採取口３９の外周面に嵌合しつつ当該接続手段４２の外周面４２ｂが外周壁部４０の内周面に係止されて当該採取口３９に接続ラインＬ３が接続可能とされたので、接続手段４２の採取口３９に対する接続面がその内周面（接続手段４２の内部）となることから、その接続面に人の指が触れてしまうのを回避させることができ、衛生管理をより確実に図ることができる。
【０１０１】
開閉手段としてのキャップ３７は、その内周面に形成されたネジ部３７ａを外周壁部４０のネジ部４０ａに対して螺合させることにより当該外周壁部４０に取り付け可能とされたものである。本実施形態に係るキャップ３７は、図２１に示すように、外周壁部４０の突端面４０ｃとの間でシールするシール手段３８を具備している。かかるシール手段３８は、取付部材Ｄの一面に取り付けられるとともに、スプリングＳ１によって当該取付部材Ｄと共に常時外周壁部４０の突端面４０ｃ側（採取口３９側）に付勢されており、より確実なシールを図り得るようになっている。
【０１０２】
ここで、本実施形態に係る透析液取出手段３６の採取口３９は、キャップ３７が取り付けられた状態で、導入口３６ａから導入された液体を採取口３９内に案内する案内路αと、該案内路αで案内された液体を導出口３６ｂ側へ排出させる排出路βとを画成するよう構成されている。すなわち、キャップ３７が外周壁部４０に螺合して取り付けられると、シール手段３８にて当該外周壁部４０の突端面４０ｃがシールされて密閉空間が形成されるとともに、その密閉空間が採取口３９にて案内路αと排出路βとに画成されるのである。しかして、採取口３９の内部が案内路αとされるとともに、当該採取口３９の外周面と外周壁部４０の内周面との間が排出路βとされることとなる。
【０１０３】
このように、本実施形態に係る採取口３９は、接続手段４２等が接続されて液体を採取させる機能を有するとともに、キャップ３７が取り付けられた状態においては、案内路αと排出路βとを画成する機能を兼ね備えているのである。なお、本実施形態においては、採取口３９が円筒状部材で構成されているが、案内路αと排出路βとを画成し得る筒状の部材であれば他の形状（例えば断面が矩形形状のもの等）のものであってもよい。
【０１０４】
一方、透析液取出手段３６には、排出路βと分岐部Ｐ側の流路とを連結させるための連結路γが形成されている。これにより、導入口３６ａから分岐部Ｐ及び案内路αを介して採取口３９先端に向かって流れた液体は、排出路β及び連結路γを通って排出口３６ｂから排出され、導入口３６ａから分岐部Ｐを介して導出口３６ｂに向かって流れる液体と合流して当該導出口３６ｂから流出し得るようになっている。
【０１０５】
さらに、本実施形態に係る透析液取出手段３６は、導入口３６ａから導入された液体のうち、案内路αに向かって流れる液体の圧力を導出口３６ｂに向かって流れる液体の圧力より大きくする圧力差形成手段４１を具備している。かかる圧力差形成手段４１は、透析液取出手段３６の分岐部Ｐ近傍に配設され、導入口３６ａから採取口３９に向かって流れる液体の流通路４１ａを有して成るとともに、当該流通路４１ａは、流路の径が採取口３９側（図２０中右側）に向かって次第に小さくなるテーパ面とされている。これにより、導入口３６ａから採取口３９に向かって流れる液体の圧力を導入口３６ａから排出口３６ｂに向かって流れる液体の圧力に対して相対的に大きくすることができる。
【０１０６】
また、本実施形態に係る圧力差形成手段４１と採取口３９とは、一体部品（例えば、一体成形部品）から成るものとされている。このように、圧力差形成手段４１と採取口３９とが一体部品から成るものとすれば、透析液取出手段３６における部品点数を削減することができ、製造コストやメンテナンスコストを低減させることができる。なお、圧力差形成手段４１と採取口３９とを別個形成し、それらを連結させて一体部品としてもよい。
【０１０７】
さらに、圧力差形成手段４１におけるシール部材３６ｃと対向した部位には、被シール部４１ｂが形成されているとともに、圧力差形成手段４１及び採取口３９は、スプリングＳ２により、シール部材３６ｃに対して被シール部４１ｂが離間する方向に常時付勢されている。そして、接続手段４２が採取口３９に接続される際（すなわち、接続手段４２の外周面４２ｂのネジ部４２ｂａが外周壁部４０の内周面に形成されたネジ部４０ｂと螺合する過程で）、圧力差形成手段４１及び採取口３９がスプリングＳ２の付勢力に抗して移動し、シール部材３６ｃに対して被シール部４１ｂが当接してシールすることにより、連結路γを遮蔽し得るようになっている。
【０１０８】
しかして、接続手段４２が採取口３９に接続された状態において、排出路βを介して液体が外部に流れるのを遮断することとなる。このように、接続手段４２が採取口３９に接続された状態において、排出路βを介して液体が外部に流れるのを遮断するので、採取口３９から接続手段４２を介して液体を採取する際、排出路βから液体が外部に漏れてしまうのを確実に回避させることができ、採取した液体を接続ラインＬ３に対してより良好に流通させることができる。
【０１０９】
上記第８の実施形態によれば、採取口３９は、キャップ３７（開閉手段）が取り付けられた状態で、導入口３６ａから導入された液体を採取口３９の突端３９ａ側に案内する案内路αと、該案内路αで案内された液体を導出口３６ｂ側へ排出させる排出路βとを画成するので、案内路α及び排出路βを介して洗浄水又は消毒液を流通させることができ、キャップ３７から別個の流路を延設させることなく、採取口３９内部の洗浄及び消毒を確実に行わせることができる。さらに、採取口３９が液体を採取させる機能に加えて案内路αと排出路βとを画成する機能を兼ね備えるため、別個の画成手段等を不要として構成を簡略化させることができる。
【０１１０】
また、透析液取出手段３６は、採取口３９の外周を覆う円筒状の外周壁部４０を有するとともに、キャップ３７は、当該外周壁部４０の突端面４０ｃとの間でシールするシール手段３８を具備したので、キャップ３７を採取口３９に取り付けた状態で、案内路αと排出路βとの画成をより確実に行わせることができるとともに、洗浄水又は消毒液の流通をより良好に行わせることができる。
【０１１１】
さらに、採取口３９の内部が案内路αとされるとともに、当該採取口３９の外周面と外周壁部４０の内周面との間が排出路βとされたので、案内路α及び排出路βを介して洗浄水又は消毒液をより円滑且つ良好に流通させることができる。またさらに、透析液取出手段３６は、導入口３６ａから導入された液体のうち、案内路αに向かって流れる液体の圧力を導出口３６ｂに向かって流れる液体の圧力より大きくする圧力差形成手段４１を具備したので、当該圧力差形成手段４１で生じた圧力差によって、案内路α及び排出路βに対してより確実に洗浄水又は消毒液を流通させることができる。
【０１１２】
また、圧力差形成手段４１は、導入口３６ａから採取口３９に向かって流れる液体の流通路４１ａを有して成るとともに、当該流通路４１ａは、流路の径が採取口３９側に向かって次第に小さくなるテーパ面とされたので、導入口３６ａから案内路αに向かって流れる液体の圧力を導入口３６ａから排出口３６ｂに向かって流れる液体の圧力に対して相対的に大きくすることができ、当該案内路α及び排出路βに対して確実な洗浄水又は消毒液の流通を図ることができる。
【０１１３】
加えて、本実施形態によれば、導入口３６ａ及び採取口３９は、略同一直線上に形成されて成るので、導入口３６ａから導入された液体が採取口３９に向かってそのまま流れることとなり、より確実且つ良好に案内路α及び排出路βを介して洗浄水又は消毒液を流通させることができ、採取口３９内部の洗浄及び消毒を一層確実に行わせることができる。
【０１１４】
なお、本実施形態における圧力差形成手段４１に代えて、第２の実施形態の如きオリフィス１４ｄから成る圧力差形成手段、第３の実施形態の如きベンチュリー形状１６ｄから成る圧力差形成手段、又は第４の実施形態の如き連動部材１９から成る圧力差形成手段としてもよい。また、第５の実施形態の如き逆止弁Ｇ或いは第６の実施形態の如き閉止手段を具備したものとしてもよい。
【０１１５】
本発明の上記第１〜８の実施形態によれば、案内路及び排出路を介して洗浄水又は消毒液を流通させることができ、開閉手段から別個の流路を延設させることなく、採取口内部の洗浄及び消毒を確実に行わせることができる血液浄化装置（血液透析装置）を提供することができる。特に、上記第１〜７の実施形態によれば、キャップ１０（開閉手段）に画成手段１２を具備させて当該画成手段１２にて案内路α及び排出路βを介して洗浄水又は消毒液を流通させることができ、採取口１２内部の洗浄及び消毒を確実に行わせることができる。一方、上記第８の実施形態によれば、採取口３９は、キャップ３７（開閉手段）が取り付けられた状態で、案内路αと排出路βとを画成するので、キャップ３７に画成手段を具備させることなく案内路α及び排出路βを介して洗浄水又は消毒液を流通させることができ、採取口３９内部の洗浄及び消毒を確実に行わせることができる。
【０１１６】
以上、本実施形態について説明したが、本発明はこれらに限定されず、例えば圧力差形成手段を具備しないもの、或いは逆止弁や閉止手段を具備しないものであってもよい。また、画成手段１２は、採取口に取り付けられた状態で当該採取口の内部を画成し、導入口から導入された液体を採取口内に案内する案内路αと、該案内路αで案内された液体を導出口側へ排出させる排出路βとを形成するものであれば、他の形状のものであってもよい。
【０１１７】
さらに、本実施形態が適用される血液浄化装置は、何れの形態のものであってもよく、例えば、複式ポンプ７に代えてチャンバにて透析液を導入又は排出させるもの、ダイアライザ１に代えて他の形態の血液浄化器を具備したもの等としてもよい。またさらに、本実施形態においては、何れも透析装置本体の透析液導入ラインＬ１に配設されているが、当該透析装置本体内の他の流路に配設したものとしてもよい。
【産業上の利用可能性】
【０１１８】
開閉手段が採取口に取り付けられた状態で、導入口から導入された液体を採取口内に案内する案内路と、該案内路で案内された液体を導出口側へ排出させる排出路とが形成される透析液取出装置であれば、外観形状が異なるもの或いは他の機能が付加されたもの等にも適用することができる。
【符号の説明】
【０１１９】
１…ダイアライザ（血液浄化器）
２…動脈側血液回路
３…静脈側血液回路
４…血液ポンプ
５…動脈側エアトラップチャンバ
６…静脈側エアトラップチャンバ
６ａ…オーバーフローライン
７…複式ポンプ
８…除水ポンプ
９…透析液取出手段
１０…キャップ（開閉手段）
１１…シール手段
１２…画成手段
１３…圧力差形成手段
１４…透析液取出手段
１５…案内部材
１６…透析液取出手段
１７…案内部材
１８…透析液取出手段
１９…連動部材
２０…スプリング
２１…透析液取出手段
２２…摺動部材
２３…スプリング
２４…シール部材
２５…透析液取出手段
２６…摺動部材
２７…連動部材
２８…シール部材
２９…スプリング
３０…スプリング
３１…シール部材
３２…保持手段
３３…シャフト部材
３４…スプリング
３５…シャフト部材
３６…透析液取出手段
３７…キャップ（開閉手段）
３８…シール手段
３９…採取口
４０…外周壁部
４１…圧力差形成手段
４２…接続手段
Ｇ…逆止弁
【図１】
2015131192.tif 000003
【図２】
2015131192.tif 000004
【図３】
2015131192.tif 000005
【図４】
2015131192.tif 000006
【図５】
2015131192.tif 000007
【図６】
2015131192.tif 000008
【図７】
2015131192.tif 000009
【図８】
2015131192.tif 000010
【図９】
2015131192.tif 000011
【図１０】
2015131192.tif 000012
【図１１】
2015131192.tif 000013
【図１２】
2015131192.tif 000014
【図１３】
2015131192.tif 000015
【図１４】
2015131192.tif 000016
【図１５】
2015131192.tif 000017
【図１６】
2015131192.tif 000018
【図１７】
2015131192.tif 000019
【図１８】
2015131192.tif 000020
【図１９】
2015131192.tif 000021
【図２０】
2015131192.tif 000022
【図２１】
2015131192.tif 000023
【図２２】
2015131192.tif 000024
【図２３】
2015131192.tif 000025
【図２４】
2015131192.tif 000026
【手続補正書】
【提出日】平成27年4月23日(2015.4.23)
【手続補正１】
【補正対象書類名】明細書
【補正対象項目名】０００８
【補正方法】変更
【補正の内容】
【０００８】
請求項１記載の発明は、液体の流路に接続されて当該液体を流通させ得る導入口及び導出口が形成されるとともに、その流通させた液体を採取可能な採取口が形成された透析液取出手段と、該透析液取出手段の採取口に対して脱着可能とされ、当該採取口を開閉し得る開閉手段とを具備した透析液取出装置において、前記開閉手段が前記採取口に取り付けられた状態で、前記導入口から導入された液体を前記採取口内に案内する案内路と、該案内路で案内された液体を前記導出口側へ排出させる排出路とが形成されるとともに、前記透析液取出手段は、前記導入口から導入された液体のうち、前記案内路に向かって流れる液体の圧力を前記導出口に向かって流れる液体の圧力より大きくする圧力差形成手段を具備したことを特徴とする。
【手続補正２】
【補正対象書類名】明細書
【補正対象項目名】００１５
【補正方法】削除
【補正の内容】
【手続補正３】
【補正対象書類名】明細書
【補正対象項目名】００１６
【補正方法】変更
【補正の内容】
【００１６】
請求項８記載の発明は、請求項１〜７の何れか１つに記載の透析液取出装置において、前記圧力差形成手段は、前記導入口から前記採取口に向かって流れる液体の流通路を有して成るとともに、当該流通路は、流路の径が採取口側に向かって次第に小さくなるテーパ面とされたことを特徴とする。
【手続補正４】
【補正対象書類名】明細書
【補正対象項目名】００１７
【補正方法】変更
【補正の内容】
【００１７】
請求項９記載の発明は、請求項１〜７の何れか１つに記載の透析液取出装置において、前記圧力差形成手段は、前記導入口から前記導出口に向かう液体の流れを絞って圧力を低下させるためのオリフィス又はベンチュリー形状から成ることを特徴とする。
【手続補正５】
【補正対象書類名】明細書
【補正対象項目名】００１８
【補正方法】変更
【補正の内容】
【００１８】
請求項１０記載の発明は、請求項１〜７の何れか１つに記載の透析液取出装置において、前記圧力差形成手段は、前記開閉手段の前記採取口に対する取り付けに応じて動作し、前記導入口から前記導出口に向かう液体の流れを絞って圧力を低下させ得る連動部材から成ることを特徴とする。
【手続補正６】
【補正対象書類名】明細書
【補正対象項目名】００１９
【補正方法】変更
【補正の内容】
【００１９】
請求項１１記載の発明は、請求項１〜１０の何れか１つに記載の透析液取出装置において、前記透析液取出手段は、前記採取口からの液体の流出を許容するとともに当該採取口からの液体の流入を遮断する逆止弁を具備したことを特徴とする。
【手続補正７】
【補正対象書類名】明細書
【補正対象項目名】００２０
【補正方法】変更
【補正の内容】
【００２０】
請求項１２記載の発明は、請求項１〜１０の何れか１つに記載の透析液取出装置において、前記透析液取出手段は、前記採取口に前記開閉手段が取り付けられた状態のとき、前記案内路及び排出路の液体の流れを許容するとともに、前記採取口が開状態のとき、当該採取口を閉止する閉止手段を具備したことを特徴とする。
【手続補正８】
【補正対象書類名】明細書
【補正対象項目名】００２１
【補正方法】変更
【補正の内容】
【００２１】
請求項１３記載の発明は、請求項１〜１２の何れか１つに記載の透析液取出装置において、前記導入口及び前記採取口は、略同一直線上に形成されて成ることを特徴とする。
【手続補正９】
【補正対象書類名】明細書
【補正対象項目名】００２２
【補正方法】変更
【補正の内容】
【００２２】
請求項１４記載の発明は、請求項１〜１３の何れか１つに記載の透析液取出装置を具備したことを特徴とする血液浄化装置である。
【手続補正１０】
【補正対象書類名】明細書
【補正対象項目名】００２３
【補正方法】変更
【補正の内容】
【００２３】
請求項１の発明によれば、開閉手段が採取口に取り付けられた状態で、導入口から導入された液体を採取口内に案内する案内路と、該案内路で案内された液体を導出口側へ排出させる排出路とが形成されるので、案内路及び排出路を介して洗浄水又は消毒液を流通させることができ、開閉手段から別個の流路を延設させることなく、採取口内部の洗浄及び消毒を確実に行わせることができる。
また、透析液取出手段は、導入口から導入された液体のうち、案内路に向かって流れる液体の圧力を導出口に向かって流れる液体の圧力より大きくする圧力差形成手段を具備したので、当該圧力差形成手段で生じた圧力差によって、案内路及び排出路に対してより確実に洗浄水又は消毒液を流通させることができる。
【手続補正１１】
【補正対象書類名】明細書
【補正対象項目名】００３０
【補正方法】削除
【補正の内容】
【手続補正１２】
【補正対象書類名】明細書
【補正対象項目名】００３１
【補正方法】変更
【補正の内容】
【００３１】
請求項８の発明によれば、圧力差形成手段は、導入口から採取口に向かって流れる液体の流通路を有して成るとともに、当該流通路は、流路の径が採取口側に向かって次第に小さくなるテーパ面とされたので、導入口から案内路に向かって流れる液体の圧力を導入口から排出口に向かって流れる液体の圧力に対して相対的に大きくすることができ、当該案内路及び排出路に対して確実な洗浄水又は消毒液の流通を図ることができる。
【手続補正１３】
【補正対象書類名】明細書
【補正対象項目名】００３２
【補正方法】変更
【補正の内容】
【００３２】
請求項９の発明によれば、圧力差形成手段は、導入口から導出口に向かう液体の流れを絞って圧力を低下させるためのオリフィス又はベンチュリー形状から成るので、導入口から導出口に向かって流れる液体の圧力を導入口から採取口に向かって流れる液体の圧力に対して相対的に小さくすることができ、当該案内路及び排出路に対して確実な洗浄水又は消毒液の流通を図ることができる。
【手続補正１４】
【補正対象書類名】明細書
【補正対象項目名】００３３
【補正方法】変更
【補正の内容】
【００３３】
請求項１０の発明によれば、圧力差形成手段は、開閉手段の採取口に対する取り付けに応じて動作し、導入口から導出口に向かう液体の流れを絞って圧力を低下させ得る連動部材から成るので、開閉手段が採取口に取り付けられたときに限り、導入口から導出口に向かう液体の圧力を導入口から採取口に向かって流れる液体の圧力に対して相対的に小さくして案内路及び排出路に対する洗浄液又は消毒液の流通を良好に行わせることができる。
【手続補正１５】
【補正対象書類名】明細書
【補正対象項目名】００３４
【補正方法】変更
【補正の内容】
【００３４】
請求項１１の発明によれば、透析液取出手段は、採取口からの液体の流出を許容するとともに当該採取口からの液体の流入を遮断する逆止弁を具備したので、例えばシリンジや補液ライン等を採取口に接続した際、当該シリンジ内の液体や補液ライン等の先端に接続された流路内の液体が採取口から流入してしまうのを回避することができる。
【手続補正１６】
【補正対象書類名】明細書
【補正対象項目名】００３５
【補正方法】変更
【補正の内容】
【００３５】
請求項１２の発明によれば、透析液取出手段は、採取口に開閉手段が取り付けられた状態のとき、案内路及び排出路の液体の流れを許容するとともに、採取口が開状態のとき、当該採取口を閉止する閉止手段を具備したので、開閉手段が採取口に取り付けられていない状態でも、当該採取口から液体が外部に漏れ出てしまうのを回避することができる。
【手続補正１７】
【補正対象書類名】明細書
【補正対象項目名】００３６
【補正方法】変更
【補正の内容】
【００３６】
請求項１３の発明によれば、導入口及び採取口は、略同一直線上に形成されて成るので、導入口から導入された液体が採取口に向かってそのまま流れることとなり、より確実且つ良好に案内路及び排出路を介して洗浄水又は消毒液を流通させることができ、採取口内部の洗浄及び消毒を一層確実に行わせることができる。
【手続補正１８】
【補正対象書類名】明細書
【補正対象項目名】００３７
【補正方法】変更
【補正の内容】
【００３７】
請求項１４の発明によれば、案内路及び排出路を介して洗浄水又は消毒液を流通させることができ、開閉手段から別個の流路を延設させることなく、採取口内部の洗浄及び消毒を確実に行わせることができる血液浄化装置を提供することができる。
【手続補正１９】
【補正対象書類名】明細書
【補正対象項目名】０１１６
【補正方法】変更
【補正の内容】
【０１１６】
以上、本実施形態について説明したが、本発明はこれらに限定されず、例えば逆止弁や閉止手段を具備しないものであってもよい。また、画成手段１２は、採取口に取り付けられた状態で当該採取口の内部を画成し、導入口から導入された液体を採取口内に案内する案内路αと、該案内路αで案内された液体を導出口側へ排出させる排出路βとを形成するものであれば、他の形状のものであってもよい。
【手続補正２０】
【補正対象書類名】明細書
【補正対象項目名】０１１８
【補正方法】変更
【補正の内容】
【０１１８】
開閉手段が採取口に取り付けられた状態で、導入口から導入された液体を採取口内に案内する案内路と、該案内路で案内された液体を導出口側へ排出させる排出路とが形成されるとともに、透析液取出手段は、導入口から導入された液体のうち、案内路に向かって流れる液体の圧力を導出口に向かって流れる液体の圧力より大きくする圧力差形成手段を具備した透析液取出装置であれば、外観形状が異なるもの或いは他の機能が付加されたもの等にも適用することができる。
【手続補正２１】
【補正対象書類名】特許請求の範囲
【補正対象項目名】全文
【補正方法】変更
【補正の内容】
【特許請求の範囲】
【請求項１】
液体の流路に接続されて当該液体を流通させ得る導入口及び導出口が形成されるとともに、その流通させた液体を採取可能な採取口が形成された透析液取出手段と、
該透析液取出手段の採取口に対して脱着可能とされ、当該採取口を開閉し得る開閉手段と、
を具備した透析液取出装置において、
前記開閉手段が前記採取口に取り付けられた状態で、前記導入口から導入された液体を前記採取口内に案内する案内路と、該案内路で案内された液体を前記導出口側へ排出させる排出路とが形成されるとともに、前記透析液取出手段は、前記導入口から導入された液体のうち、前記案内路に向かって流れる液体の圧力を前記導出口に向かって流れる液体の圧力より大きくする圧力差形成手段を具備したことを特徴とする透析液取出装置。
【請求項２】
前記開閉手段は、
前記採取口の外周面との間でシールするシール手段と、
前記採取口に取り付けられた状態で当該採取口の内部を画成し、前記案内路及び前記排出路を形成する画成手段と、
を具備したことを特徴とする請求項１記載の透析液取出装置。
【請求項３】
前記画成手段は、前記開閉手段を前記採取口に取り付けた状態で当該採取口内で延設される筒状部材から成り、当該筒状部材の内部が前記案内路とされるとともに、当該筒状部材の外周面と前記採取口の内周面との間が前記排出路とされることを特徴とする請求項２記載の透析液取出装置。
【請求項４】
前記筒状部材には、前記案内路と排出路とを連通するための連通部が形成されるとともに、当該連通部は、前記案内路から排出路に流れる液体に対して渦又は乱流を生じさせ得ることを特徴とする請求項３記載の透析液取出装置。
【請求項５】
前記採取口は、前記開閉手段が取り付けられた状態で、前記案内路と前記排出路とを画成することを特徴とする請求項１記載の透析液取出装置。
【請求項６】
前記透析液取出手段は、前記採取口の外周を覆う円筒状の外周壁部を有するとともに、前記開閉手段は、当該外周壁部の外周面又は突端面との間でシールするシール手段を具備したことを特徴とする請求項５記載の透析液取出装置。
【請求項７】
前記採取口の内部が前記案内路とされるとともに、当該採取口の外周面と前記外周壁部の内周面との間が前記排出路とされたことを特徴とする請求項５又は請求項６記載の透析液取出装置。
【請求項８】
前記圧力差形成手段は、前記導入口から前記採取口に向かって流れる液体の流通路を有して成るとともに、当該流通路は、流路の径が採取口側に向かって次第に小さくなるテーパ面とされたことを特徴とする請求項１〜７の何れか１つに記載の透析液取出装置。
【請求項９】
前記圧力差形成手段は、前記導入口から前記導出口に向かう液体の流れを絞って圧力を低下させるためのオリフィス又はベンチュリー形状から成ることを特徴とする請求項１〜７の何れか１つに記載の透析液取出装置。
【請求項１０】
前記圧力差形成手段は、前記開閉手段の前記採取口に対する取り付けに応じて動作し、前記導入口から前記導出口に向かう液体の流れを絞って圧力を低下させ得る連動部材から成ることを特徴とする請求項１〜７の何れか１つに記載の透析液取出装置。
【請求項１１】
前記透析液取出手段は、前記採取口からの液体の流出を許容するとともに当該採取口からの液体の流入を遮断する逆止弁を具備したことを特徴とする請求項１〜１０の何れか１つに記載の透析液取出装置。
【請求項１２】
前記透析液取出手段は、前記採取口に前記開閉手段が取り付けられた状態のとき、前記案内路及び排出路の液体の流れを許容するとともに、前記採取口が開状態のとき、当該採取口を閉止する閉止手段を具備したことを特徴とする請求項１〜１０の何れか１つに記載の透析液取出装置。
【請求項１３】
前記導入口及び前記採取口は、略同一直線上に形成されて成ることを特徴とする請求項１〜１２の何れか１つに記載の透析液取出装置。
【請求項１４】
請求項１〜１３の何れか１つに記載の透析液取出装置を具備したことを特徴とする血液浄化装置。